【事件の表示】
　平成　８年特許願第　５２１５５号「撮像装置」拒絶査定不服審判事件〔平成　９年　９月１９日出願公開、特開平　９−２４７５００、請求項の数（３）〕について、次のとおり審決する。
【結　論】
　原査定を取り消す。
　本願の発明は、特許すべきものとする。
【理　由】
１　【手続きの経緯、本願発明】
　本願は、平成８年３月８の出願であって、その請求項１ないし３に係る発明は、平成１５年１０月１４日付け及び平成１６年２月９日付け手続補正書により補正された明細書及び図面の記載からみて、その特許請求の範囲の請求項１ないし３に記載された事項により特定される次のとおりのものである。
「【請求項１】　任意の被写体を撮像した撮像信号から輝度信号を生成し、当該輝度信号から輪郭成分を抽出して当該被写体の輪郭部分を強調する輪郭強調輝度信号を出力する撮像装置であって、
　前記輪郭成分から正側輪郭成分又は負側輪郭成分の何れか一方の輪郭成分のみを抽出し、抽出された当該一方の輪郭成分を所定の中間調レベルに重畳して得られる輝度信号を前記輪郭強調輝度信号として出力する信号処理部を備える
　ことを特徴とする撮像装置。
【請求項２】　前記信号処理部は、前記輪郭成分をゲインアップして前記被写体の輪郭部分を強調する輪郭強調回路を有することを特徴とする請求項１に記載の撮像装置。
【請求項３】　前記信号処理部は、前記輝度信号と前記中間調レベルとを切り換え可能なガンマ補正回路を有し、当該輝度信号への輪郭成分の重畳と、前記中間調レベルへの前記一方の輪郭成分の重畳とを選択可能にしたことを特徴とする請求項１に記載の撮像装置。」
　
２　【引用例】
（１）これに対して、原査定の拒絶理由で引用された特開平７−５９１０７号公報（以下「引用例１」という。）には、「ビデオカメラの特殊画像効果装置」（発明の名称）に関し、図面と共に次に掲げる事項ア、イが記載されている。
　　ア　「撮像素子から出力される画像信号を処理して輝度信号及び色信号を得、この輝度信号及び色信号を混合してビデオ信号を出力するビデオカメラにおいて、
輝度信号を一次微分して一次微分信号を出力する一次微分回路と、
電位がグレイレベルとなっているベース信号を出力するグレイレベル発生回路と、
一次微分信号が重畳したベース信号か輝度信号の一方の信号を選択して出力するスイッチと、
を具備することを特徴とするビデオカメラの特殊画像効果装置。」（特許請求の範囲第１項）
　　イ　「本発明ではかかる「浮き彫り画」が得られるビデオカメラの特殊画像効果装置を提供する」（段落【００１２】）
（２）同じく引用された特開平７−１２９７６２号公報（以下「引用例２」という。）には、「素描風画像生成装置」（発明の名称）に関し、図面と共に次に掲げる事項が記載されている。
　「多階調を有する原画像から輪郭情報を抽出する手段と、前記原画像から陰影情報を抽出する手段と、前記輪郭情報と前記陰影情報から画像を再構築する合成手段と、を有して、素描画の特徴を有する画像を生成することを特徴とする素描風画像生成装置。」（特許請求の範囲第１項）
（３）同じく引用された特開平４−２６７６８１号公報（以下「引用例３」という。）には、「映像信号の特殊効果回路」（発明の名称）に関し、図面と共に次に掲げる事項ア、イが記載されている。
　　ア　「映像信号のデジタル化した輝度信号成分の垂直および水平の輪郭を検出し、出力した輪郭強調信号の利得を調整し微小レベルの残留成分を除去するコアリング回路を介した出力信号に、同輝度信号成分のフレームメモリを介した信号を加算する輪郭強調回路において、輝度信号のグレーレベル信号発生回路および同回路の出力するグレーレベル信号または前記フレームメモリを介した輝度信号成分を選択するセレクタ回路を備え、同セレクタ回路の出力信号を前記コアリング回路の出力に加算することを特徴とする映像信号の特殊効果回路。」（特許請求の範囲）
　　イ　「前記入力輝度信号11のグレーレベルに相当するグレーレベル信号を発生し、同信号または前記フレームメモリ14の出力のいずれかを選択し、前記コアリング処理した信号に加算する。前記コアリング回路13の出力への加算信号として前記フレームメモリ14の出力を選択したときは通常の輪郭強調した輝度信号となり、入力輝度信号11とともに入力の色差信号と組み合わせることにより一見解像度の向上した画像とすることができる。前記コアリング回路13の出力への加算信号として前記グレーレベル信号を選択したときは画像の輪郭のみの輝度信号となり、同信号を前記入力色差信号と組み合わせることにより、強調した輪郭線内は前記グレーレベル信号に対応する明るさの彩色となり、あたかも「ぬりえ」の如き画像とすることができる。」（段落【００１０】）
（４）同じく引用された特開昭６１−２１３６１３号公報（以下「引用例４」という。）には、「形状測定装置」（発明の名称）に関し、図面と共に次に掲げる事項が記載されている。
　「撮像画像の縁辺部分を表すべき部分を高増幅率にて増幅して前記形状認識装置に与える」（特許請求の範囲）
（５）同じく引用された特開平１−２４１２７６号公報（以下「引用例５」という。）には、「ビデオカメラ」（発明の名称）に関し、図面と共に次に掲げる事項が記載されている。
　「手動により影像の焦点調整を行なう場合には、電子ビューファインダに映る画像の輪郭部分のレベルを通常の時より大きくするか、又は輪郭成分のみを映すように構成すると共に、そのためのレベル設定用処理を、カメラ出力信号用輪郭成分レベル設定用乗算器で行なわせる」（２頁左上欄５行〜１１行）
（６）同じく引用された特開平５−１３７１４７号公報（以下「引用例６」という。）には、「ビデオカメラ」（発明の名称）に関し、図面と共に次に掲げる事項が記載されている。   
　「焦点調節を行なう手段や絞りの絞り値を制御する手段等の制御手段と、撮像手段、該撮像手段の出力信号を輝度成分と色成分とに分離し夫々を処理する信号処理手段等からなり、露光、色再現、輪郭補正、画面の拡大／縮小等の画質調整（設定）機能を有するビデオカメラ」（特許請求の範囲第１項）
（７）同じく引用された特開平７−２２００６６号公報（以下「引用例７」という。）には、「画像処理装置」（発明の名称）に関し、図面と共に次に掲げる事項が記載されている。  
　「画像入力手段１１１から入力したＡ／Ｄ変換後の画像信号（１枚分）は、エッジ抽出手段１１２に送出される。エッジ抽出手段１１２は微分部１１２ａとしきい値処理部１１２ｂ，細線化処理部１１２ｃにより構成され、画像入力手段１１１から送出される画像信号はまず微分部１１２ａに入力される。微分部１１２ａは、微分オペレータを１枚の画像の各画素ごとに並列に適用して、各画素の濃度値を微分する。微分オペレータの例としてプレヴィットのオペレータとソーベルのオペレータを図１２に示す。微分後の画像信号はしきい値処理部１１２ｂに送出され、しきい値処理部１１２ｂは各画素に対してしきい値処理を施す。つまり、各画素の微分濃度値がある値よりも大きければ１，小さければ０を出力する。しきい値処理部１１２ｂで２値化された画像信号は細線化処理部１１２ｃに送出され、線幅１の中心線を抽出する。細線化処理部１１２ｃで細線化された画像、即ちエッジ画像は、画像出力手段１１３から出力される。」（段落【０００２】）
（８）同じく引用された特開平７−３２００５４号公報（以下「引用例８」という。）には、「画像処理装置」（発明の名称）に関し、図面と共に次に掲げる事項が記載されている。
　「微分後の画像信号はしきい値処理部112bに送出され、しきい値処理部112bは各画素に対してしきい値処理を施す。つまり、各画素の微分濃度値がある値よりも大きければ１，小さければ０を出力する。しきい値処理部112bで２値化された画像信号は細線化処理部112cに送出され、線幅１の中心線を抽出する。細線化処理部112cで細線化された画像、即ちエッジ画像は、画像出力手段113から出力される。」（段落【０００４】）
（９）同じく引用された実願平２−１１２８１０号（実開平４−６７８６７号）のマイクロフィルム（以下「引用例９」という。）には、「画像処理装置」（発明の名称）に関し、図面と共に次に掲げる事項が記載されている。
　「画像中の低コントラスト部、高コントラスト部が近接して存在する特定部分の明るさ情報をもとに明るさ変換を行なって高コントラスト部を抑制した後、エッジ検出を行なう画像処理装置。」（実用新案登録請求の範囲）
　
３　【当審の判断】
［請求項１について］
（１）引用例３には、デジタル化した輝度信号を輪郭検出回路に供給し、垂直及び水平の輪郭信号を検出し、その輪郭検出信号のレベルを調整しコアリングした信号に、グレーレベル信号を加算し、特殊効果画像を生成することが記載されており（引用例３の上記ア、イの記載参照）、その点では、本願の請求項１に係る発明と類似している。
　しかしながら、引用例３には、輪郭成分から正側輪郭成分又は負側輪郭成分の何れか一方の輪郭成分のみを抽出し、その一方の輪郭成分をグレーレベル信号に加算することについては何も記載がなく、示唆もない。すなわち、本願の請求項１に係る発明の主要な事項である「前記輪郭成分から正側輪郭成分又は負側輪郭成分の何れか一方の輪郭成分のみを抽出し、抽出された当該一方の輪郭成分」を所定の中間調レベルに重畳する点の構成（以下「構成Ａ」という。）については何も記載がなく、示唆もない。
（２）引用例７には、各画素の濃度値を微分し、この微分濃度値がある値よりも大きければ１、小さければ０を出力し、その２値化された画像信号より細線化されたエッジ画像を得ることは記載されている（引用例７の上記記載参照）ものの、輪郭成分から正側輪郭成分又は負側輪郭成分の何れか一方の輪郭成分を抽出することについては何も記載がなく、示唆もない。すなわち、本願の請求項１に係る発明の主要な事項である上記「構成Ａ」については何も記載がなく、示唆もない。
（３）引用例９には、画像信号の高コントラスト部を抑圧して画像エッジを検出することは記載されている（引用例９の上記記載参照）ものの、輪郭成分から正側輪郭成分又は負側輪郭成分の何れか一方の輪郭成分を抽出することについては何も記載がなく、示唆もない。すなわち、本願の請求項１に係る発明の主要な事項である上記「構成Ａ」については何も記載がなく、示唆もない。
（４）引用例１には、輝度信号を一次微分して、この微分信号とベース信号を混合することによって、「浮き彫り画」のような特殊画像を作成すること（引用例１の上記ア、イの記載参照）、引用例２には、多階調を有する画像から、輪郭情報と、陰影情報を抽出し、その輪郭情報と陰影情報を合成すること（引用例２の上記記載参照）、引用例４には、撮像画像の縁辺部分を表す部分を高増幅率にて増幅すること（引用例４の上記記載参照）、引用例５には、電子ビューファインダに映る画像の輪郭部分のレベルを通常の時より大きくすること（引用例５の上記記載参照）、引用例６には、輪郭補正等の画質調整機能を有すること（引用例６の上記の記載参照）、引用例８には、各画素の濃度値を微分し、この微分濃度値がある値よりも大きければ１，小さければ０を出力し、その２値化された画像信号より細線化されたエッジ画像を得ること（引用例８の上記記載参照）は、それぞれ記載されているものの、本願の請求項１に係る発明の主要な事項である上記「構成Ａ」については何も記載がなく、示唆もない。
（５）以上のように、上記各引用例のいずれにも本願の請求項１に係る発明の上記「構成Ａ」について記載がなく、示唆もないのであるから、上記各引用例を組み合わせても、本願の請求項１に係る発明が容易になし得るとはいえない。
（６）そして、本願の請求項１に係る発明は、上記「構成Ａ」を採用することにより、「パステル画像モードで負成分のみ輪郭成分を利用したのは、後述するように背景が単一の中間調レベルであるため、輪郭をより強調するには負側の輪郭成分で背景よりもより一層暗くする必要があるためである。正成分を利用すると、輪郭部分が背景レベル側に近づくため輪郭がぼけてしまうからである。」、「これとは逆に中間調レベルをより暗く設定し、正の成分のみの輪郭成分を利用してパステル画像を形成することもできる。この場合には被写体の輪郭は黒地に白く映し出されることになる。」、「通常の撮像信号の他に、特殊画像として現存しないパステル画像信号を形成できるようにしたものである。そのため、通常の撮像装置として楽しむことができるほか、明暗が取り除かれた単一中間調の背景に被写体の輪郭部分が映し出されたパステル画のような特殊画像を得ることができるので、お遊び感覚で楽しむことができる。つまりニューフィーチャーを備えた撮像装置を提供できる。
パステル画像を生成する場合にあって、自動露光の基準露光値を全白を撮像したときに所定レベルとなるように制御して、通常よりも明るくしているので、被写体の輪郭を確実に抽出できるようになり、きれいなパステル画像を得ることができる。
さらに特定の輪郭成分を利用してパステル画像を形成したので、被写体の輪郭を鮮明に映し出すことができるようになり、輪郭のはっきりしたパステル画像が得られるなどの特徴を有する。」（明細書の段落【００３１】、【００３８】〜【００４１】記載）等の明細書記載の顕著な効果を奏するものと認められる。
　よって、本願の請求項１に係る発明は、上記各引用例に記載の発明から容易になし得たものとすることはできない。
　
［請求項２及び３について］
　本願の請求項２及び３に係る発明は、請求項１を引用し、さらに限定事項を付加したものであるから、上記請求項１で検討したことと同様の理由により、上記各引用例に記載の発明から容易になし得たものとすることはできない。
　
　また、本願明細書に記載不備があるともいえない。
　
４　【むすび】
　以上のとおりであるから、本願の請求項１ないし３に係る発明が上記各引用例に記載された発明に基づいて当業者が容易に発明をすることができたという原査定の理由によっては本願を拒絶することはできない。
　また、他に本願を拒絶すべき理由を発見しない。
　よって、結論のとおり審決する。